(57)【特許請求の範囲】
【請求項１】
ローディングユニットであって、該ローディングユニットは、該ローディングユニットを外科手術ステープル留め器具に取り付けるためのインターロックアセンブリを含み、該ローディングユニットは、
近位端と遠位端とを含むシェル部材であって、該シェル部材は、該シェル部材の該近位端に形成されている円筒形部分を含み、該シェル部材の該遠位端は、ステープルカートリッジを支持するために構成され、該ステープルカートリッジは、１対の同軸の列で配置されている複数のステープル保持スロットを規定し、該円筒形部分は、その中に形成されている開口部を規定する、シェル部材と、
該円筒形部分に旋回可能に固定されているカラー部材と
を含み、
該カラー部材は、該シェル部材の該円筒形部分の該開口部内に選択的に受け取り可能である係止シェルフを含み、
該係止シェルフは、該カラー部材が開放位置にある場合、該円筒形部分の該開口部および該外科手術ステープル留め器具の遠位端に形成されている開口部から間隔を置かれ、
該係止シェルフは、該カラー部材が閉鎖位置にある場合、該円筒形部分における該開口部および該外科手術ステープル留め器具の該遠位端の該開口部を通って受け取られ、これにより、該ローディングユニットを該外科手術ステープル留め器具の該遠位端に対して長手方向に固定する、ローディングユニット。
【請求項２】
前記カラー部材は、前記シェル部材の前記円筒形部分に旋回可能に固定されている第１の端部と、該円筒形部分に解放可能に固定可能である第２の端部とを含む、請求項１に記載のローディングユニット。
【請求項３】
前記カラー部材は、前記シェル部材の前記円筒形部分を解放可能に係合するための係止タブを含む、請求項１に記載のローディングユニット。
【請求項４】
前記シェル部材の前記円筒形部分は、前記係止タブを解放可能に受け取るための切欠きを含む、請求項３に記載のローディングユニット。
【請求項５】
前記カラー部材は、前記シェル部材の前記円筒形部分の周りでのスナップ係合のために構成されている弾性本体を含む、請求項１に記載のローディングユニット。
【請求項６】
前記カラー部材は、Ｃ字形の本体を含む、請求項１に記載のローディングユニット。
【請求項７】
前記係止シェルフは、前記カラー部材を前記閉鎖位置から前記開放位置に移動するために、前記シェルアセンブリの前記円筒形部分内への外科手術ステープル留め器具の遠位端の受け取り中、該外科手術ステープル留め器具の該遠位端を係合するための傾斜した近位部分を含む、請求項１に記載のローディングユニット。
【請求項８】
前記シェル部材の前記円筒形部分は、その周りに前記カラーを解放可能に受け取るための凹んだ部分を含む、請求項１に記載のローディングユニット。
【請求項９】
前記シェル部材の前記円筒形部分は、前記カラー部材が前記凹んだ部分の周りに受け取られる場合に該カラー部材の端部の係合を容易にするための、その該凹んだ部分に隣接するくぼみを規定する、請求項８に記載のローディングユニット。
【請求項１０】
前記シェル部材の前記円筒形部分は、前記外科手術ステープル留め器具の前記遠位端を受け取るように構成されている、請求項１に記載のローディングユニット。
【請求項１１】
前記シェル部材の前記円筒形部分は、該シェル部材を前記外科手術ステープル留め器具の前記遠位端に対して半径方向に整列させ、かつ半径方向に固定するための高くなった特徴を含む、請求項１０に記載のローディングユニット。
【請求項１２】
前記高くなった特徴は、前記円筒形部分の外側表面に沿って半径方向外方に、および長手方向に延び、該高くなった特徴は、前記外科手術ステープル留め器具の前記遠位端に形成されている長手方向に延びているキー溝の中へのスライド可能な受け取りのために構成されている、請求項１１に記載のローディングユニット。
【請求項１３】
外科手術ステープル留め器具の遠位端に選択的に接続可能であるローディングユニットであって、該ローディングユニットは、
近位端と遠位端とを含むシェル部材であって、該シェル部材は、該シェル部材の該近位端に形成されている円筒形部分を含み、該円筒形部分は、それに形成されている開口部を規定する、シェル部材と、
１対の同軸の列で配置されている複数のステープル保持スロットを規定するステープルカートリッジであって、該ステープルカートリッジは、該シェル部材の該遠位端において支持されている、ステープルカートリッジと、
該ステープル保持スロット内に受け取られている複数のステープルと、
該円筒形部分に旋回可能に固定されているカラー部材と
を含み、
該カラー部材は、該シェル部材の該円筒形部分の該開口部内に選択的に受け取り可能である係止シェルフを含み、
該係止シェルフは、該カラー部材が開放位置にある場合、該円筒形部分の該開口部および該外科手術ステープル留め器具の該遠位端に形成されている開口部から間隔を置かれ、
該係止シェルフは、該カラー部材が閉鎖位置にある場合、該円筒形部分における該開口部および該外科手術ステープル留め器具の該遠位端の該開口部を通って受け取られ、これにより、該ローディングユニットを該外科手術ステープル留め器具の該遠位端に対して長手方向に固定する、ローディングユニット。
【請求項１４】
前記カラー部材は、前記シェル部材の前記円筒形部分に旋回可能に固定されている第１の端部と、該円筒形部分に解放可能に固定可能である第２の端部とを含む、請求項１３に記載のローディングユニット。
【請求項１５】
前記シェル部材の前記円筒形部分を解放可能に係合するために、前記カラー部材の前記第２の端部に形成されている係止タブをさらに含む、請求項１４に記載のローディングユニット。
【請求項１６】
前記シェル部材の前記円筒形部分は、前記係止タブを解放可能に受け取るための切欠きを含む、請求項１５に記載のローディングユニット。
【請求項１７】
前記カラー部材は、前記シェル部材の前記円筒形部分の周りでのスナップ係合のために構成されている弾性本体を含む、請求項１３に記載のローディングユニット。
【発明の詳細な説明】
【技術分野】
【０００１】
関連出願への相互参照
本願は、２０１５年４月２２日に出願された米国仮特許出願第６２／１５０，９１３号の利益、および上記米国仮特許出願に対する優先権を主張し、その開示全体は、本明細書中で参考として援用される。
【０００２】
背景
技術分野
本開示は、交換可能なローディングユニットを含む外科手術ステープル留めデバイスに関する。より詳しくは、本開示は、交換可能なローディングユニットを外科手術ステープル留めデバイスの作動アセンブリおよび／または外科手術アダプターアセンブリに動作可能に固定するためのインターロックアセンブリに関する。
【背景技術】
【０００３】
関連出願の背景
ステープル、クリップ、または他のファスナーを組織に適用するための外科手術デバイスは周知である。内視鏡ステープル留めデバイスは、作動ユニット（すなわち、デバイスを作動するためのハンドルアセンブリ）と、内視鏡アクセスのためのシャフトと、シャフトの遠位端において配置されているツールアセンブリとを含む。これらのデバイスの特定のものは、交換可能なローディングユニットとの使用のために設計され、この交換可能なローディングユニットは、ツールアセンブリを含み、ステープルまたはファスナーを収容する。交換可能なローディングユニットは、様々なサイズのステープルを含み得、ステープルは、１つ以上の構成で配置され得る。交換可能なローディングユニットを有するステープル留めデバイスを発射した後、ユーザーは、空の交換可能なローディングユニットを作動ユニットから取り外し得、第２の交換可能なローディングユニットを選択して、作動ユニットに取り付け得、ステープル留めデバイスを再び発射し得る。このプロセスは、外科手術手順中、繰り返し実施され得る。
【０００４】
ステープル留めデバイスの多くは、交換可能なローディングユニットを作動ユニットに選択的に取り付けるためのインターロックアセンブリを含む。インターロックアセンブリの構成要素は、代表的に、作動ユニットの細長い本体上に位置しているか、または作動ユニットに接続されているアダプターアセンブリ上に位置している。作動ユニットおよびアダプターアセンブリの滅菌およびクリーニングは、細長い本体またはアダプターアセンブリにおけるインターロック構成要素の場所に起因して複雑である。
【０００５】
従って、インターロックアセンブリの構成要素がローディングユニット上に位置しており、従って、滅菌を必要としない外科手術デバイスを有することは、有益である。
【発明の概要】
【課題を解決するための手段】
【０００６】
概要
本開示は、交換可能なローディングユニットを外科手術ステープル留めデバイスの作動アセンブリおよび／または外科手術アダプターアセンブリに動作可能に固定するためのインターロックアセンブリに関する。
【０００７】
ローディングユニットが提供され、このローディングユニットは、ローディングユニットを外科手術ステープル留め器具に取り付けるためのインターロックアセンブリを含む。ローディングユニットは、近位端と遠位端とを有するシェル部材を含む。シェル部材は、シェル部材の近位端に形成されている円筒形部分を含み、シェル部材の遠位端は、ステープルカートリッジを支持し、このステープルカートリッジは、１対の同軸の列で配置されている複数のステープル保持スロットを規定する。円筒形部分は、それに形成されている開口部を規定する。ローディングユニットは、円筒形部分に旋回可能に固定されているカラー部材も含む。カラー部材は、シェル部材の円筒形部分の開口部内に選択的に受け取り可能である係止シェルフを含む。係止シェルフは、カラー部材が開放位置にある場合、円筒形部分の開口部から間隔を置かれ、係止シェルフは、カラー部材が閉鎖位置にある場合、円筒形部分における開口部を通って受け取られる。
【０００８】
複数の実施形態において、カラー部材は、シェル部材の円筒形部分に旋回可能に固定されている第１の端部と、円筒形部分に解放可能に固定可能である第２の端部とを含み得る。カラー部材は、シェル部材の円筒形部分を解放可能に係合するための係止タブを含み得る。シェル部材の円筒形部分は、係止タブを解放可能に受け取るための切欠きを含み得る。カラー部材は、シェル部材の円筒形部分の周りでのスナップ係合のために構成されている弾性本体を含み得る。カラー部材は、Ｃ字形の本体を含み得る。
【０００９】
いくつかの実施形態において、係止シェルフは、シェル部材を外科手術ステープル留め器具の遠位端に固定するために、外科手術ステープル留め器具の遠位端に形成されている開口部内に受け取られるように構成されている。係止シェルフは、カラー部材を閉鎖位置から開放位置に移動するために、シェルアセンブリの円筒形部分内への外科手術ステープル留め器具の遠位端の受け取り中、外科手術ステープル留め器具の遠位端を係合するための傾斜した近位部分を含み得る。
【００１０】
シェル部材の円筒形部分は、その周りにカラーを解放可能に受け取るための凹んだ部分を含み得る。シェル部材の円筒形部分は、カラー部材が凹んだ部分の周りに受け取られる場合にカラー部材の端部の係合を容易にするための、その凹んだ部分に隣接するくぼみを規定し得る。シェル部材の円筒形部分は、外科手術ステープル留め器具の遠位端を受け取るように構成され得る。シェル部材の円筒形部分は、シェル部材を外科手術ステープル留め器具の遠位端に対して半径方向に整列させ、かつ半径方向に固定するための高くなった特徴を含み得、高くなった特徴は、円筒形部分の外側表面に沿って半径方向外方に、および長手方向に延び得る。高くなった特徴は、外科手術ステープル留め器具の遠位端に形成されている長手方向に延びているキー溝の中へのスライド可能な受け取りのために構成され得る。
【００１１】
外科手術ステープル留め器具の遠位端に選択的に接続可能であるローディングユニットも提供される。ローディングユニットは、近位端と遠位端とを有するシェル部材を含む。シェル部材は、シェル部材の近位端に形成されている円筒形部分を含む。円筒形部分は、それに形成されている開口部を規定する。ローディングユニットはまた、１対の同軸の列で配置されている複数のステープル保持スロットを規定するステープルカートリッジであって、このステープルカートリッジは、シェル部材の遠位端において支持されている、ステープルカートリッジと、ステープル保持スロット内に受け取られている複数のステープルとを含む。ローディングユニットは、円筒形部分に旋回可能に固定されているカラー部材をさらに含む。カラー部材は、シェル部材の円筒形部分の開口部内に選択的に受け取り可能である係止シェルフを含む。
【００１２】
いくつかの実施形態において、係止シェルフは、カラー部材が開放位置にある場合、円筒形部分の開口部から間隔を置かれ、係止シェルフは、カラー部材が閉鎖位置にある場合、円筒形部分における開口部を通って受け取られる。カラー部材は、シェル部材の円筒形部分に旋回可能に固定されている第１の端部と、円筒形部分に解放可能に固定可能である第２の端部とを含み得る。ローディングユニットは、シェル部材の円筒形部分を解放可能に係合するために、カラー部材の第２の端部に形成されている係止タブを含み得る。シェル部材の円筒形部分は、係止タブを解放可能に受け取るための切欠きを含み得る。カラー部材は、シェル部材の円筒形部分の周りでのスナップ係合のために構成されている弾性本体を含み得る。
本発明は、例えば以下の項目を提供する。
（項目１）
ローディングユニットであって、該ローディングユニットは、該ローディングユニットを外科手術ステープル留め器具に取り付けるためのインターロックアセンブリを含み、該ローディングユニットは、
近位端と遠位端とを含むシェル部材であって、該シェル部材は、該シェル部材の該近位端に形成されている円筒形部分を含み、該シェル部材の該遠位端は、ステープルカートリッジを支持するために構成され、該ステープルカートリッジは、１対の同軸の列で配置されている複数のステープル保持スロットを規定し、該円筒形部分は、それに形成されている開口部を規定する、シェル部材と、
該円筒形部分に旋回可能に固定されているカラー部材と
を含み、該カラー部材は、該シェル部材の該円筒形部分の該開口部内に選択的に受け取り可能である係止シェルフを含み、
該係止シェルフは、該カラー部材が開放位置にある場合、該円筒形部分の該開口部から間隔を置かれ、
該係止シェルフは、該カラー部材が閉鎖位置にある場合、該円筒形部分における該開口部を通って受け取られる、ローディングユニット。
（項目２）
上記カラー部材は、上記シェル部材の上記円筒形部分に旋回可能に固定されている第１の端部と、該円筒形部分に解放可能に固定可能である第２の端部とを含む、上記項目に記載のローディングユニット。
（項目３）
上記カラー部材は、上記シェル部材の上記円筒形部分を解放可能に係合するための係止タブを含む、上記項目のうちのいずれか一項に記載のローディングユニット。
（項目４）
上記シェル部材の上記円筒形部分は、上記係止タブを解放可能に受け取るための切欠きを含む、上記項目のうちのいずれか一項に記載のローディングユニット。
（項目５）
上記カラー部材は、上記シェル部材の上記円筒形部分の周りでのスナップ係合のために構成されている弾性本体を含む、上記項目のうちのいずれか一項に記載のローディングユニット。
（項目６）
上記カラー部材は、Ｃ字形の本体を含む、上記項目のうちのいずれか一項に記載のローディングユニット。
（項目７）
上記係止シェルフは、上記シェル部材を外科手術ステープル留め器具の遠位端に固定するために、該外科手術ステープル留め器具の該遠位端に形成されている開口部内に受け取られるように構成されている、上記項目のうちのいずれか一項に記載のローディングユニット。
（項目８）
上記係止シェルフは、上記カラー部材を上記閉鎖位置から上記開放位置に移動するために、上記シェルアセンブリの上記円筒形部分内への外科手術ステープル留め器具の遠位端の受け取り中、該外科手術ステープル留め器具の該遠位端を係合するための傾斜した近位部分を含む、上記項目のうちのいずれか一項に記載のローディングユニット。
（項目９）
上記シェル部材の上記円筒形部分は、その周りに上記カラーを解放可能に受け取るための凹んだ部分を含む、上記項目のうちのいずれか一項に記載のローディングユニット。
（項目１０）
上記シェル部材の上記円筒形部分は、上記カラー部材が上記凹んだ部分の周りに受け取られる場合に該カラー部材の端部の係合を容易にするための、その該凹んだ部分に隣接するくぼみを規定する、上記項目のうちのいずれか一項に記載のローディングユニット。
（項目１１）
上記シェル部材の上記円筒形部分は、外科手術ステープル留め器具の遠位端を受け取るように構成されている、上記項目のうちのいずれか一項に記載のローディングユニット。
（項目１２）
上記シェル部材の上記円筒形部分は、該シェル部材を上記外科手術ステープル留め器具の上記遠位端に対して半径方向に整列させ、かつ半径方向に固定するための高くなった特徴を含む、上記項目のうちのいずれか一項に記載のローディングユニット。
（項目１３）
上記高くなった特徴は、上記円筒形部分の外側表面に沿って半径方向外方に、および長手方向に延び、該高くなった特徴は、上記外科手術ステープル留め器具の上記遠位端に形成されている長手方向に延びているキー溝の中へのスライド可能な受け取りのために構成されている、上記項目のうちのいずれか一項に記載のローディングユニット。
（項目１４）
外科手術ステープル留め器具の遠位端に選択的に接続可能であるローディングユニットであって、該ローディングユニットは、
近位端と遠位端とを含むシェル部材であって、該シェル部材は、該シェル部材の該近位端に形成されている円筒形部分を含み、該円筒形部分は、それに形成されている開口部を規定する、シェル部材と、
１対の同軸の列で配置されている複数のステープル保持スロットを規定するステープルカートリッジであって、該ステープルカートリッジは、該シェル部材の該遠位端において支持されている、ステープルカートリッジと、
該ステープル保持スロット内に受け取られている複数のステープルと、
該円筒形部分に旋回可能に固定されているカラー部材と
を含み、該カラー部材は、該シェル部材の該円筒形部分の該開口部内に選択的に受け取り可能である係止シェルフを含む、ローディングユニット。
（項目１５）
上記係止シェルフは、上記カラー部材が開放位置にある場合、上記円筒形部分の上記開口部から間隔を置かれ、該係止シェルフは、該カラー部材が閉鎖位置にある場合、該円筒形部分における該開口部を通って受け取られる、上記項目のうちのいずれか一項に記載のローディングユニット。
（項目１６）
上記カラー部材は、上記シェル部材の上記円筒形部分に旋回可能に固定されている第１の端部と、該円筒形部分に解放可能に固定可能である第２の端部とを含む、上記項目のうちのいずれか一項に記載のローディングユニット。
（項目１７）
上記シェル部材の上記円筒形部分を解放可能に係合するために、上記カラー部材の上記第２の端部に形成されている係止タブをさらに含む、上記項目のうちのいずれか一項に記載のローディングユニット。
（項目１８）
上記シェル部材の上記円筒形部分は、上記係止タブを解放可能に受け取るための切欠きを含む、上記項目のうちのいずれか一項に記載のローディングユニット。
（項目１９）
上記カラー部材は、上記シェル部材の上記円筒形部分の周りでのスナップ係合のために構成されている弾性本体を含む、上記項目のうちのいずれか一項に記載のローディングユニット。
（摘要）
ローディングユニットが提供され、このローディングユニットは、ローディングユニットを外科手術ステープル留め器具に取り付けるためのインターロックアセンブリを含む。インターロックアセンブリは、シェル部材の近位端に形成され、シェル部材に旋回可能に固定されているカラー部材を含む。カラー部材は、シェル部材をアダプターアセンブリに選択的に固定する。
【００１３】
本明細書中に組み込まれ、本明細書の一部を構成する添付の図面は、本開示の実施形態を例示し、上に与えられた本開示の概略的な説明および下に与えられる実施形態の詳細な説明と一緒に、本開示の原理を説明するために役立つ。
【図面の簡単な説明】
【００１４】
【図１】図１は、アダプターアセンブリに固定されている本開示の実施形態に従う交換可能なローディングユニットの斜視図である。
【図２】図２は、アダプターアセンブリへのローディングユニットの取り付け前の、図１に示されるローディングユニットおよび図１に示されるアダプターアセンブリの遠位端の斜視図である。
【図３】図３は、図２に示される指示された領域の拡大詳細図である。
【図４】図４は、カラー部材が分離されている、図１に示される交換可能なローディングユニットの側面斜視図である。
【図５】図５は、インターロックアセンブリが第１の位置または開放位置にある、図１に示される交換可能なローディングユニットの端面斜視図である。
【図６】図６は、図５に示される線６−６に沿って得られる断面図である。
【図７】図７は、図６に示される線７−７に沿って得られる断面図である。
【図８】図８は、第２の位置または閉鎖位置にある、図１に示される交換可能なローディングユニットの側面斜視図である。
【図９】図９〜図１２は、インターロックアセンブリが開放位置と閉鎖位置との間の様々な段階にある、図８に示されるそれぞれの線９−９、１０−１０、１１−１１、１２−１２に沿って得られる断面図である。
【図１０】図９〜図１２は、インターロックアセンブリが開放位置と閉鎖位置との間の様々な段階にある、図８に示されるそれぞれの線９−９、１０−１０、１１−１１、１２−１２に沿って得られる断面図である。
【図１１】図９〜図１２は、インターロックアセンブリが開放位置と閉鎖位置との間の様々な段階にある、図８に示されるそれぞれの線９−９、１０−１０、１１−１１、１２−１２に沿って得られる断面図である。
【図１２】図９〜図１２は、インターロックアセンブリが開放位置と閉鎖位置との間の様々な段階にある、図８に示されるそれぞれの線９−９、１０−１０、１１−１１、１２−１２に沿って得られる断面図である。
【図１３】図１３は、図１に示される交換可能なローディングユニットが図１に示されるアダプターアセンブリの遠位端に受け取られる前の、図１２に示される線１３−１３に沿って得られる断面図である。
【図１４】図１４は、交換可能なローディングユニットがアダプターアセンブリの遠位端に受け取られ、インターロックアセンブリが開放位置にある場合の図１３に示される断面図である。
【図１５】図１５は、交換可能なローディングユニットがアダプターアセンブリの遠位端に受け取られ、インターロックアセンブリが閉鎖位置にある場合の図１３に示される断面図である。
【発明を実施するための形態】
【００１５】
詳細な説明
次に、本開示のインターロックアセンブリの実施形態が、図面を参照して詳細に記載され、図面において、類似の参照数字は、数枚の図の各々における、同一の要素または対応する要素を表す。当該分野において一般的であるように、用語「近位」は、ユーザーまたは操作者、すなわち、外科医または臨床家により近い、その部分または構成要素を指し、一方で、用語「遠位」は、ユーザーから離れてより遠い、その部分または構成要素を指す。
【００１６】
図１および図２を参照すると、本開示の実施形態に従うインターロックアセンブリが、概して、インターロックアセンブリ１１０として示されている。インターロックアセンブリ１１０は、ローディングユニット１００をアダプターアセンブリ１０に動作可能に固定するように構成されている。アダプターアセンブリ１０は、ローディングユニット１００を外科手術ステープル留めデバイス（示されない）に動作可能に接続するように構成されている。インターロックアセンブリ１１０は、ローディングユニット１００およびアダプターアセンブリ１０を参照して示され、記載されているが、インターロックアセンブリ１１０が異なるローディングユニットにおける使用、および異なるアダプターアセンブリとの使用のために改変され得ることが想定される。あるいは、インターロックアセンブリ１１０は、作動アセンブリ（示されない）の細長い本体（示されない）に直接接続されるように改変され得る。
【００１７】
ローディングユニット１００およびアダプターアセンブリ１０は、本開示の局面を完全に開示するために必要とされる程度まで記載されるのみである。例示的なローディングユニットおよびアダプターアセンブリの詳細な説明について、共有に係る米国特許出願公開第２０１３／０１８１０３５号（その内容は、その全体が本明細書中で参考として援用される）を参照されたい。アダプターアセンブリおよび／またはローディングユニットを動作するための例示的な電気機械式外科手術ステープル留めデバイスは、米国特許出願公開第２０１２／０２５３３２９号に示され、記載され、その内容も、その全体が本明細書中で参考として援用される。
【００１８】
図３に手短に目を向けると、アダプターアセンブリ１０の遠位端１２は、取り付けウインドー１３、およびキー溝またはスロット１５を規定する。取り付けウインドー１３は、以下に詳述されるように、ローディングユニット１００をアダプターアセンブリ１０の遠位端１２に対して長手方向に固定するために、アダプターアセンブリ１０の遠位端１２の環状壁を通って延び、インターロックアセンブリ１１０の係止部材を受け取るように構成されている。キー溝１５は、以下に詳述されるように、アダプターアセンブリ１０の遠位端１２の長手方向軸に対して平行に延び、ローディングユニット１００の整列特徴を受け取って、ローディングユニット１００をアダプターアセンブリ１０に対して半径方向に整列させ、半径方向に固定するように構成されている。示されるように、開口部１３およびキー溝１５は、遠位端１２の環状壁を完全に通過しているが、開口部１３および／またはキー溝１５は、代わりに、アダプターアセンブリアダプター１０の遠位端１２の環状壁の外側表面において、切欠き（示されない）または長手方向の溝（示されない）を規定し得ることが企図される。
【００１９】
次に、図４〜図７を参照すると、ローディングユニット１００は、シェル部材１０２を含む。シェル部材１０２は、外側円筒形部分１２０を含む近位端１０２ａと、遠位端１０２ｂとを含み、この遠位端１０２ｂは、複数のステープル保持スロット１０５（図３）を規定するステープルカートリッジ１０４を支持している。ステープル保持スロット１０５は、図３に示されるように、１対の同軸の列で配置され得る。インターロックアセンブリ１１０は、シェル部材１０２の外側円筒形部分１２０と、外側円筒形部分１２０に旋回可能に固定されているカラー部材１３０とを含む。シェル部材１０２の外側円筒形部分１２０は、アダプターアセンブリ１０（図３）の遠位端１２（図３）の周りに受け取られるように構成されている。
【００２０】
図４および図５を特に参照すると、シェル部材１０２の外側円筒形部分１２０は、外側円筒形部分１２０の外側表面の周りに部分的に延びている凹んだ部分またはリリーフ１２１を含み、その周りにインターロックアセンブリ１１０のカラー部材１３０を受け取るように構成されている。凹んだ部分１２１の第１の端部１２１ａにおいて、外側円筒形部分１２０は、カラー部材１３０の第１の端部１３０ａを収納するための切り抜き１２３を規定する。凹んだ部分１２１の第２の端部１２１ｂにおいて、外側円筒形部分１２０は、カラー部材１３０の第２の端部１３０ｂを収納するための切欠き１２５を規定する。凹んだ部分１２１の第１の端部１２１ａと第２の端部１２１ｂとの間に、外側円筒形部分１２０は、カラー部材１３０の係止特徴（例えば、係止シェルフ１３６）を収納するための開口部１２７を規定する。凹んだ部分１２１の第２の端部１２１ｂに隣接して、くぼみ１２９が、ユーザーによるカラー部材１３０の第２の端部１３０ｂの係合を可能にするために、外側円筒形部分１２０の外側表面において規定される。高くなった特徴１２４が、シェル部材１０２の外側円筒形部分１２０の内側表面上に形成され、外側円筒形部分１２０の長手方向軸に沿って延びている。さらに詳細に以下に記載されるように、高くなった特徴１２４は、アダプターアセンブリ１０（図３）の遠位端１２（図３）のキー溝１５（図３）内に受け取られて、ローディングユニット１００をアダプターアセンブリ１０に対して半径方向に整列させ、半径方向に固定するように構成されている。
【００２１】
図４〜図７を引き続き参照すると、インターロックアセンブリ１１０のカラー部材１３０は、「Ｃ」形状のプロフィールを有する本体１３２と、第１の端部１３０ａと、第２の端部１３０ｂとを含む。カラー部材１３０は、弾性材料から形成され、シェル部材１０２の外側円筒形部分１２０の凹んだ部分１２１の周りに解放可能に受け取られるように構成されている。カラー部材１３０の第１の端部１３０ａは、旋回ピン１１２によってシェル部材１０２の外側円筒形部分１２０の切り抜き１２３内に旋回可能に固定されている。カラー部材１３０の第２の端部１３０ｂは、シェル部材１０２の外側円筒形部分１２０における切欠き１２５内に選択的に受け取られるように構成されている係止タブ１３４を含む。カラー部材１３０は、その第１の端部１３０ａと第２の端部１３０ｂとの間に位置している係止シェルフ１３６をさらに含む。係止シェルフ１３６は、カラー部材１３０の本体１３２から半径方向内方に延びており、カラー部材１３０がシェル部材１０２の外側円筒形部分１２０の凹んだ部分１２１の周りに受け取られる場合、シェル部材１０２の外側円筒形部分１２０における開口部１２７内に選択的に受け取られるように構成されている。
【００２２】
図７〜図１２を参照すると、シェル部材１０２の外側円筒形部分１２０に固定されているカラー部材１３０が示されている。第１の位置または開放位置（図７）において、カラー部材１３０の第２の端部１３０ｂは、シェル部材１０２の外側円筒形部分１２０から離して旋回されている。カラー部材１３０が第２の位置または係止された位置（図１２）に移動される場合、カラー部材１３０の第２の端部１３０ｂは、シェル部材１０２の外側円筒形部分１２０に向かって旋回される。カラー部材１３０の第２の端部１３０ｂにおける係止タブ１３４がシェル部材１０２の外側円筒形部分１２０を係合する場合、カラー部材１３０の本体１３２は、半径方向外方に曲がって、外側円筒形部分１２０の周りでのカラー部材１３０の受け取りを可能にする。
【００２３】
カラー部材１３０は、カラー部材１３０の係止タブ１３４が外側円筒形部分１２０における切欠き１２５の中にスナップ留めする（ｓｎａｐ）まで、シェル部材１０２の円筒形本体部分１２０の周りで旋回される（図１２）。係止タブ１３４は、カラー部材１３０が外側円筒形部分１２０の凹んだ部分１２１の周りに完全に受け取られる場合、シェル部材１０２の外側円筒形部分１２０の切欠き１２５の中にスナップ留めする。カラー部材１３０の本体１３２の弾性は、カラー部材１３０の係止タブ１３４を外側円筒形部分１２０の切欠き１２５内に維持する。
【００２４】
図１１および図１２を特に参照すると、カラー部材１３０がシェル部材１０２の外側円筒形部分１２０の凹んだ部分１２１内に旋回可能に受け取られる場合、カラー部材１３０の係止シェルフ１３６は、外側円筒形部分１２０の開口部１２７内に受け取られる。
【００２５】
カラー部材１３０の係止タブ１３４を外側円筒形部分１２０から係合解除するために、カラー部材１３０の第２の端部１３０ｂは、シェル部材１０２の外側円筒形部分１２０から引き離される。シェル部材１０２の外側円筒形部分１２０に形成されているくぼみ１２９は、シェル部材１０２の外側円筒形部分１２０とのカラー部材１３０の第２の端部１３０ｂの係合または係合解除を容易にする。係止タブ１３４がシェル部材１０２の外側円筒形部分１２０から係合解除されると、カラー部材１３０は、その第１の端部１３０ａの周りで旋回されて、係止シェルフ１３６を外側円筒形部分１２０における開口部１２７内から後退し得る。
【００２６】
アダプターアセンブリ１０の遠位端１２へのローディングユニット１００の取り付けは、図１３〜図１５を参照して記載される。図１３を最初に参照すると、ローディングユニット１００のシェル部材１０２の近位端１０２ａは、シェルアセンブリ１０２の外側円筒形部分１２０の内側表面上の高くなった特徴１２４がアダプターアセンブリ１０の遠位端１２のキー溝１５と整列されるように、アダプターアセンブリ１０の遠位端１２に対して位置決めされている。インターロックアセンブリ１１０のカラー部材１３０が、まだ開放位置にない場合、カラー部材１３０は、カラー部材１３０の第２の端部１３０ｂを係合してカラー部材１３０の係止タブ１３４を外側円筒形部分１２０から係合解除することによって開放位置に移動され得る。
【００２７】
あるいは、図１４に示されるように、係止シェルフ１３６は、斜めの近位部分または傾斜した近位部分１３６ａを含み、斜めの近位部分または傾斜した近位部分１３６ａは、アダプターアセンブリ１０の遠位端１２がシェル部材１０２の外側円筒形部分１２０内に受け取られる場合にアダプターアセンブリ１０の遠位端１２を係合する。係止シェルフ１３６の傾斜した近位部分１３６ａがアダプターアセンブリ１０の遠位端１２を係合する場合、図１４における矢印「Ａ」によって示されるように、カラー部材１３０の本体１３２に適用される力は、カラー部材の係止タブ１３４が、シェル部材１０２の外側円筒形部分１２０からスナップ留めを外す（ｕｎｓｎａｐ）または係合解除することをもたらし、それにより、インターロックアセンブリ１１０を開放位置に移動し、アダプターアセンブリ１０の遠位端１２がシェル部材１０２の外側円筒形部分１２０内に完全に受け取られることを可能にする。
【００２８】
次に図１５を参照すると、アダプターアセンブリ１０の遠位端１２がシェル部材１０２の外側円筒形部分１２０内に完全に受け取られた後、インターロックアセンブリ１１０のカラー部材１３０は、係止された位置に移動される。特に、カラー部材１３０は、図１５における矢印「Ｂ」によって示されるように、半径方向内方に押されて、カラー部材１３０の本体１３２を完全にシェル部材１０２の外側円筒形部分１２０の凹んだ部分１２１の周りに受け取る。カラー部材１３０の本体１３２がシェル部材１０２の外側円筒形部分１２０の凹んだ部分１２１の周りに受け取られる場合、カラー部材１３０の係止シェルフ１３６は、シェル部材１０２の外側円筒形部分１２０における開口部１２７を通って、アダプターアセンブリ１０の遠位端１２における取り付けウインドー１３内に受け取られる。アダプターアセンブリ１０の取り付けウインドー１３を通したカラー部材１３０の係止シェルフ１３６の受け取りは、ローディングユニット１００をアダプターアセンブリ１０に対して長手方向に固定し、それにより、ローディングユニット１００をアダプターアセンブリ１０に固定する。
【００２９】
ローディングユニット１００がアダプターアセンブリ１０の遠位端１２に固定されると、外科手術デバイス（示されない）は、慣習的な態様で動作され得る。ステープル留め手順後、ローディングユニット１００は、上に記載されるように、最初にインターロックアセンブリ１１０を開放位置に移動することによって、アダプターアセンブリ１０から分離され、次に、ローディングユニット１００をアダプターアセンブリ１０の遠位端１２に対して長手方向に引っ張る。ローディングユニット１００は、次に、慣習的な態様で処分され得る。
【００３０】
本開示の例示的実施形態が、添付の図面を参照して本明細書中に記載されてきたが、本開示は、それらの正確な実施形態に限定されないこと、ならびに様々な他の変更および改変が、本開示の範囲または趣旨から外れることなく、当業者によってその中でもたらされ得ることが理解されるべきである。
【図１】
0006758885.tif 000002
【図２】
0006758885.tif 000003
【図３】
0006758885.tif 000004
【図４】
0006758885.tif 000005
【図５】
0006758885.tif 000006
【図６】
0006758885.tif 000007
【図７】
0006758885.tif 000008
【図８】
0006758885.tif 000009
【図９】
0006758885.tif 000010
【図１０】
0006758885.tif 000011
【図１１】
0006758885.tif 000012
【図１２】
0006758885.tif 000013
【図１３】
0006758885.tif 000014
【図１４】
0006758885.tif 000015
【図１５】
0006758885.tif 000016